(57)【特許請求の範囲】
【請求項１】
遺体の体腔に装填される体液漏出防止材が、アルコール系を主成分とするゼリ−の中に高吸水性ポリマー粉体が多数分散してなることを特徴とするゼリー状体液漏出防止材。
【請求項２】
高吸水性ポリマー粉体が微粉体からなり、ゼリーの中に５，０００個以上／ｍｌ分散していることを特徴とする請求項１記載のゼリー状体液漏出防止材。
【請求項３】
高吸水性ポリマー粉体が微粉体からなり、ゼリーの中に１５，０００個／ｍｌ〜３０，０００個／ｍｌ分散していることを特徴とする請求項１記載のゼリー状体液漏出防止材。
【請求項４】
高吸水性ポリマー粉体が６０〜２００メッシュの粉体からなり、ゼリーの中に１８，０００個／ｍｌ〜２５，０００個／ｍｌ分散していることを特徴とする請求項１記載のゼリー状体液漏出防止材。
【請求項５】
ゼリーがエチレングリコール、プロピレングリコール、ジエチレングリコール、メタノール、エタノール、グリセリンの少なくとも１種からなることを特徴とする請求項１ないし４のいずれか記載のゼリー状体液漏出防止材。
【請求項６】
ゼリーは、アクリル酸重合体、中和剤が含まれることを特徴とする請求項１ないし５のいずれか記載のゼリー状体液漏出防止材。
【請求項７】
アルコール系主成分１００重量部に対し、アクリル酸重合体が０．０１〜１．０重量部、中和剤が０．０３〜０．７重量部含まれることを特徴とする請求項１ないし６のいずれか記載のゼリー状体液漏出防止材。
【請求項８】
ゼリー状体液漏出防止材の粘度が８，０００〜４０，０００ＣＰであることを特徴とする請求項１ないし７のいずれか記載のゼリー状体液漏出防止材。
【請求項９】
ゼリー状体液漏出防止材のＰＨが７〜９であることを特徴とする請求項１ないし８のいずれか記載のゼリー状体液漏出防止材。
【請求項１０】
該体液漏出防止材に薬液が含まれることを特徴とする請求項１ないし９のいずれか記載のゼリー状体液漏出防止材。
【請求項１１】
請求項１ないし１０のいずれか記載のゼリー状体液漏出防止材を注入シリンダに入れ、注入シリンダの先端に取り付けた注入管の先端を体腔に投入し、注入シリンダ内のゼリー状体液漏出防止材を注入管を介して、体腔の所定位置に投入し、ゼリー状体液漏出防止材が体液を吸収することで体液漏出を防止することを特徴とする体液漏出防止方法。
【発明の詳細な説明】
【０００１】
【発明の属する技術分野】
本発明は、遺体からの体液漏出を防止するために、遺体の体腔に装填される体液漏出防止材及びその体液漏出防止材を使用した体液漏出防止方法に関するものである。
【０００２】
【従来の技術】
人体は、死亡後に胃液、肺液、腹水、排泄物などの体液を漏出させることがある。このため、例えば病院では、死亡確認後、遺体の口、鼻、耳、肛門、女性の膣等の体腔にガーゼ、脱脂綿等を装填し、体液の漏出を防ぐことが行なわれている。また、事故や手術後の遺体の開口部にも同様な処置がとられている。
【０００３】
ガーゼ、脱脂綿等に代えて高吸水性の樹脂粉末を口、鼻、耳、咽喉などに装填することが知られている。例えば、特開平７−２６５３６７号公報では、安定化二酸化塩素を含む吸水性樹脂粉末を咽喉には粉末のまま、耳孔、鼻孔には水溶性シートに包んで使用することが知られている。また、特開平１０−２９８００１号公報のように、注射器を使って口、鼻、耳に高吸水性樹脂粉末を装填することが知られている。
【０００４】
【発明が解決しようとする課題】
一般的に行なわれている遺体の口、鼻、耳等の体腔にガーゼ、脱脂綿等を装填する方法では、漏出体液が多い場合には、ガーゼ、脱脂綿等では不十分であって、体外に漏れ出たりしている。漏出した体液の処理時に病原菌に感染する恐れがあり、作業者からは嫌われている。また新しいガーゼ、脱脂綿等と交換する必要があり、煩わしいだけでなく、遺体体液を介して病原菌が感染する危険性があり、交換時にはその周辺に漏出体液の悪臭が残るなどの問題がある。
【０００５】
特開平７−２６５３６７号公報のように咽喉部に高吸水性樹脂粉末を装填しようとしても、装填するための手段がなくては、狭い間隔の体腔例えば咽喉部、肛門等では装填することが困難である。
【０００６】
特開平１０−２９８００１号公報では、出来るだけ流動性を確保するために、高吸収ポリマの微粉末を使用することを述べている。しかし、鼻孔や耳孔の入口部分に入れるのであれば、この公報のように微粉末を注射器のようなシリンダで投入しても充填できるが、奥までは充填できない。特に、奥まで充填するために、急速にシリンダを動かすと、先端から出る微粉末が飛び散るだけで、かえって遺体周辺を汚すだけである。
【０００７】
即ち、特開平７−２６５３６７号公報や特開平１０−２９８００１号公報のように粉末をそのまま遺体に充填する方法では、粉末を押圧しても粉末自体の密度が上がるだけで、充填器内をスムーズに流れないので、シリンダを使用しても充填することが困難である。また、飛び出る粉末が拡散するので、粉末を固めて栓をしたい所に粉末を留めることが困難であり、場合によっては、遺体外に出て遺体周辺を汚す恐れがある。さらに、粉末をそのまま遺体に装填する場合には、体液の少ない遺体に対しては微粉末がこぼれ出たり、又はゲルが溶けて漏れ出る可能性がある。
【０００８】
特に、粉末としては、体液を吸収して膨潤することに主眼が置かれ、各種の樹脂粉末の開発が行なわれている。いずれも親水性樹脂粉末であり、この種の樹脂粉末は体液を吸収して膨潤してゲル化する機能は優れている。しかし、この種の樹脂粉末は吸収量が多いとゾル状になり、更に進むと溶けるものが多い。また、体液が、胃酸などの強酸性体液や胆汁などのアルカリ性体液を含んでいると、ゲル状態を維持できないものが多い。
【０００９】
また、粉体でなく、ゼリーを用いるものとして、特開平０８−１３３９０１号公報のものが知られている。この公報では、消臭剤入りの粉末ポリマーを適当量の水で溶かし適当に混合してゼリーにし、遺体の鼻腔の奥、口腔の奥、耳穴の奥に注入器等で圧入し充満させ、ゼリーで止血し、その外側に更に衛生綿で栓をするものである。
【００１０】
この公報のものでは、ゼリーに消臭剤を混合して異臭を防止するようにし、ゼリー自体で栓をすることを狙いとしている。その上、ゼリーだけでは封止が十分でないので、衛生綿等で更に封止するようにしている。この公報のように、粉末ポリマーを水に溶かしてゼリー状にすれば、流動性が良くなるので、鼻孔等の奥にも注入しやすく、注入器を使って注入しても、粉体のように飛散することも無く、注入管を伝って滑らかに注入できる。しかし、既に水に溶かしているために、本来ポリマーが有する給水性能はほとんどなくなっている。したがって、ゼリーは鼻孔の隙間を埋める栓としての機能でしか使われなく、鼻孔を十分に封止することができない。
【００１１】
粉体では鼻孔等の体腔に充填しにくい、ゼリーでは吸水性能が不足し、体腔を封止できない。そのために、実際の現場では、相変わらずガーゼや脱脂綿で応急処置しているだけであり、ガーゼや脱脂綿に代わる体液漏出防止技術の実現が強く望まれている。
【００１２】
本発明の第１の目的は、今までの樹脂粉末では遺体の体液漏出を防止できないので、新規な体液漏出防止材を開発したことを特徴とする。特に、ゼリーでありながら高い吸水性を有する体液漏出防止材を開発したことを特徴とする。
【００１３】
第２の目的は、ポリマーが粉体の状態でゼリーの中に分散しているゼリー状の体液漏出防止材を使用して、体腔を封止することを特徴とする。
【００１４】
【課題を解決するための手段】
上記目的を達成するために、請求項１記載の発明は、遺体の体腔に装填される体液漏出防止材が、アルコールを主成分とするゼリ−の中に高吸水性ポリマー粉体が多数分散してなるので、体液漏出防止材の流動性が高く、鼻孔、耳穴等の狭い体腔であっても充填されやすく、注入器で圧入しても飛散することがない。その上、ゼリーにポリマーが分散しているので、ポリマーが吸水性能を維持しており、このポリマーが体腔から漏出する体液を吸収し、外部へ漏出することを防止する。
【００１５】
請求項２の発明は、請求項１記載のゼリー状体液漏出防止材において、高吸水性ポリマー粉体が微粉体からなり、ゼリーの中に５，０００個以上／ｍｌ分散している構成であり、体液漏出防止材の流動性を確保しつつ、吸水性を確保できるので、体腔を確実に封止できる。
【００１６】
請求項３の発明は、請求項１記載のゼリー状体液漏出防止材において、高吸水性ポリマー粉体が微粉体からなり、ゼリーの中に１５，０００個／ｍｌ〜３０，０００個／ｍｌ分散している構成であり、体液漏出防止材の流動性を確保しつつ、吸水性を確保できるので、体腔を更に確実に封止できる。
【００１７】
請求項４の発明は、請求項１記載のゼリー状体液漏出防止材において、高吸水性ポリマー粉体が６０〜２００メッシュの粉体からなり、ゼリーの中に１８，０００個／ｍｌ〜２５，０００個／ｍｌ分散している構成であり、体液漏出防止材の流動性を確保しつつ、吸水性を確保できるので、体腔封止機能が非常に高い。
【００１８】
請求項５の発明は、請求項１ないし４のいずれか記載のゼリー状体液漏出防止材において、
ゼリーがエチレングリコール、プロピレングリコール、ジエチレングリコール、メタノール、エタノール、グリセリンの少なくとも１種からなる構成であり、ゼリー状の中に粉体を分散して保持できる。
【００１９】
請求項６の発明は、請求項１ないし５のいずれか記載のゼリー状体液漏出防止材において、
ゼリーは、アクリル酸重合体、中和剤が含まれる構成であり、粉体の吸水性を維持した状態でゼリー状の中に分散して保持できる。
【００２０】
請求項７の発明は、請求項１ないし６のいずれか記載のゼリー状体液漏出防止材において、
アルコール系主成分１００重量部に対し、アクリル酸重合体が０．０１〜１．０重量部、中和剤が０．０３〜０．７重量部含まれる構成であり、粉体の吸水性を維持した状態でゼリー状の中に分散して保持できる機能に優れている。
【００２１】
請求項８の発明は、請求項１ないし７のいずれか記載のゼリー状体液漏出防止材において、
ゼリー状体液漏出防止材の粘度が８，０００〜４０，０００ＣＰである構成であり、ゼリーの流動性が良いので、耳孔、鼻孔、肛門、女性の膣・尿道などの狭い体腔通路もスムーズに投入でき、適確に封止できる。
【００２２】
請求項９の発明は、請求項１ないし８のいずれか記載のゼリー状体液漏出防止材において、
ゼリー状体液漏出防止材のＰＨが７〜９である構成であり、粉体の吸水性を維持した状態でゼリー状の中に分散して保持でき、体液漏出防止機能に優れている。
【００２３】
請求項１０の発明は、請求項１ないし９のいずれか記載のゼリー状体液漏出防止材において、該体液漏出防止材に薬液が含まれる構成であり、異臭を吸収したり、作業中に作業者が病原菌に感染することを防止できる。
【００２４】
請求項１１の発明は、請求項１ないし１０のいずれか記載のゼリー状体液漏出防止材を注入シリンダに入れ、注入シリンダの先端に取り付けた注入管の先端を体腔に投入し、注入シリンダ内のゼリー状体液漏出防止材を、注入管を介して体腔の所定位置に投入し、ゼリー状体液漏出防止材が体液を吸収することで体液漏出を防止する方法であり、滑らかに体腔に体液漏出防止材を装填でき、かつ漏出する体液を十分に吸収できる。また、体腔に注入する際に、ゼリーが飛散しないし、漏出もしないので周辺を汚す恐れもない。
【００２５】
本発明で使用する高吸水性ポリマーは、ゼリー中に粉体で分散混在しているが、体液を吸収して確実に漏出を防止するためには、ゼリーの中に５，０００個以上／ｍｌ分散していることが好ましい。特に、高吸水性ポリマーが微粉体からなり、ゼリーの中に１５，０００個／ｍｌ〜３０，０００個／ｍｌ分散していることが更に好ましい。その上更に、高吸水性ポリマー粉体が６０〜２００メッシュの粉体からなり、ゼリーの中に１８，０００個／ｍｌ〜２５，０００個／ｍｌ分散していると体液漏出効果が非常に高い。
【００２６】
本発明で使用するゼリーの粘液基材としては、エチレングリコール、プロピレングリコール、ジエチレングリコール、メタノール、エタノール、グリセリンの中から選ばれた少なくとも一種を用いることが好ましい。特に、グリコール系はアクリル酸系ポリマーを粉体の状態で分散して保持している状態が安定しており、好ましい。エチレングリコールが取り扱いが容易であって、半年以上放置しても、内部に分散している微粉体が溶けることなく、長期間安定して粉体の状態を維持することができた。
【００２７】
ゼリーとしては、粘液基材としてのアルコール系主成分１００重量部に対し、アクリル酸重合体が０．０１〜１．０重量部、中和剤が０．０３〜０．７重量部含まれることが好ましい。特に、アクリル酸は、安定したゼリーを生成するために必要であり、０．０１重量部未満では粘度が不足する。一方１．０重量部より多くなると、粘度が飽和点に達し、それ以上は多くしても粘度は上がらない。
【００２８】
中和剤はゼリーのＰＨを適正な値に維持するために必要であり、０．０３重量部未満では、ＰＨが下がり、その結果ゼリーの粘性が不足し、粘度の有効な範囲を外れる。一方、０．７重量部より多くなると、ゼリーの粘性が安定しなくなり、調整が困難となる。
【００２９】
ゼリー状体液漏出防止材の粘度は８，０００〜４０，０００ＣＰであることが好ましい。この値よりも粘度が低いとさらさらとなり、体腔には入りやすいが、所定位置に留まることがなく、封止効果が期待できない。一方、４０，０００ＣＰよりも多すぎると粘性が高すぎて、体腔に注入することが難しくなる。
【００３０】
ゼリー状体液漏出防止材のＰＨは７〜９に調整することが好ましい。ＰＨが７よりも少なくなると、ゼリーの粘性が不足し、粘度の有効な範囲を外れる。一方ＰＨが９より高くなると、粘度が変動して不安定となり、体腔に注入することが難しくなるので、好ましくない。ＰＨはゼリーの粘度を適正な値にするバロメーターとして使われる。
【００３１】
該体液漏出防止材には、二酸化安定塩素、消臭剤、殺菌剤、防腐剤等の薬液を添加しても良い。
【００３２】
本発明に係わるゼリー状体液漏出防止材の製造方法を説明する。
攪拌機に粘液基材であるエチレングリコールを入れる。このエチレングリコールを攪拌しながら、アクリル酸重合体を少量づつ加えていく。２〜８時間攪拌して、分散液を生成する。この分散液を攪拌しながら、中和剤を少量づつ滴下していく。これにより、ゼリーが生成される。このゼリーにゲル粉末である高吸水性ポリマーを加え、十分に攪拌する。これにより、ポリマーが分散したゼリーが生成される。
【００３３】
【発明の実施の形態】
以下、本発明の実施形態を図面に基づいて説明する。図１により、本発明に係わるゼリー状体液漏出防止材を鼻孔奥の咽喉部に充填する場合の充填方法を説明する。
ゼリー状の体液漏出防止材８を注入器１に入れる。注入器１は、その先端に保護キャップ３を被せた注入口２を備え、フイルムパック（図示せず）で包んでシールした状態にしておく。それと、咽喉部Ｂ等の体腔に挿入される挿入管４を用意しておく。挿入管４は、一端に注入器１の注入口２に接続される接続部５を有し、他端に鼻孔Ａに挿入される開口部６を有する。挿入管４は挿入しやすいように先端が先細に形成され、開口部６を挿入方向及び側方に開口している。
【００３４】
図１は、このようにして用意された体液漏出防止装置を遺体に使用する状態を示す。Ａは鼻孔、Ｂは咽喉部、Ｃは舌、Ｄは気管、Ｅは食道、Ｆは頚椎である。使用時には、フイルムパックから注入器１を取り出し、注入器１の注入口２の保護キャップ３を取り外し、代わりに挿入管４の接続部５を被せて接続する。挿入管４の開口部６を鼻孔Ａから咽喉部Ｂに向けて挿入し、挿入管４のストッパ部７が鼻先Ｂに当たった時点で挿入を中止する。そして、注入器１のピストン１ａを押圧し、注入器１内のゼリー状の体液漏出防止材８を挿入管４を経由して咽喉部Ｂに注入する。挿入管４の開口部６は挿入方向先端だけでなく、側面にも開口しているので、一部開口部が詰まっても咽喉部Ｂに導入される。注入器１内の体液漏出防止材８を押出した後は、注入器１と挿入管４を鼻孔Ａから取り除く。
【００３５】
この実施例では、複数の開口部６から咽喉部Ｂに集中的に体液漏出防止材８が流し込まれる。特に、ゼリーの状態で流し込まれるので流動性が非常によく、軽い力で滑らかに充填できる。粉末のように拡散して鼻孔Ａから飛び出たりすることがなく、この体液漏出防止材８が咽喉部Ｂに留まり、咽喉部Ｂが封止される。本発明のゼリーは、粉体と違って非常に流動性があるので、鼻奥の咽喉部でも細い挿入管４を介して必要部位に投入でき、耳孔の奥、肛門、女性の膣などにも楽に充填でき、体液の漏出を封止できる。また、充填時の音が比較的静かであり、作業者は周囲の人たちを気にせずに作業できる。
【００３６】
挿入抵抗を軽減するために、挿入管４に潤滑剤を塗布しても良い。挿入管４と注入器１とを接続して鼻孔Ａに挿入したが、挿入管４を先に鼻孔Ａに挿入し、それから挿入管４に注入器１を接続しても良い。注入器と挿入管とをいっしょにフイルムパックで包んでも良い。注入器と挿入管は初めから接続されたものでも、または一体に作られたものでも良い。ストッパの代わりにマークを付与したものでも、挿入位置のばらつきを防止できる。
【００３７】
図２は第２実施例を示す。第１実施例と同様な体液漏出防止材８が充填された注入器を肛門に挿入される肛門封止部材１０に使用する実施例である。肛門封止部材１０は、射出成形樹脂材からなり、芯部材１１、案内部材１３及びストッパ部材１６を備えている。芯部材１１が中空の円筒形状であって、内部に前後方向に貫通する中空部１２が形成されている。案内部材１３は内部に中空部が形成され、この中空部を囲む筒部１４が長手方向後方に延びて設けられている。筒部１４の前方は挿入時の案内部１５として曲線状に先細に形成されており、筒部１４の外周に間隙１７を開けて延長部１８が前方から長手方向後方かつ外方に延びるように設けられている。芯部材１１の前部が間隙１７に挿入されるように、芯部材１１の中空部１２に案内部材１３の筒部１４が挿入嵌合される。ストッパ部材１６の前部には、芯部材１１の中空部１２に嵌合される筒部１９が設けられ、ストッパ部材１６の後部には、幅広のフランジ形状の当て部材２０が一体に形成されている。芯部材１１の中空部１２と案内部材１３の筒部１４、芯部材１１の中空部１２とストッパ部材１６の筒部１９との間には、互いに嵌り合う凸部２１と凹部２２が形成されている。
【００３８】
芯部材１１を包むように巻かれるゴム部材２３が上記凸部２１と上記凹部２２で挟持されるようになっている。筒部１４の外径が先端方向に向けて幅広になるようにテーパーになっており、芯部材１１の前部の内径も同様にテーパ−になっている。また、筒部１９の外径は当て部材２０方向に向けて幅広になるようにテーパーになっており、芯部材１１の後部の内径も同様にテーパ−になっている。このテーパーによりゴム部材２３が巻き込まれた時にゴム部材２３のたるみが少なくなるようになっている。
【００３９】
芯部材１１の外周に、小径の段部２４が設けられ、そこに４つのスリット孔２５が形成されている。この段部２４にゴム製のバンド２６が巻かれている。バンド２６はスリット孔２５を閉めるように、段部２４の外径より少し小径のものが伸ばされて巻かれている。
【００４０】
ストッパ部材１６の筒部１９の内部には導入通路２７が貫通して形成されている。当て部材２０は筒部１９の途中から略直行する方向に滑らかな曲線で延びて、先端が楕円形状になるように設けられている。当て部材２０の外周、即ち肛門周辺の皮膚と接触する面に接触面材２８が貼り付けてある。接触面材２８としては、スポンジ、フェルト、吸収剤層、ゲル剤層、接着剤層、接着テープ等が用いられる。当て部材２０の内周には、筒部１９の先端を覆うようにカバー部材２９が貼り付けられている。このカバー部材２９の中央部、即ちストッパ部材１６の筒部１９の先端に対面する部分には、十字形状の切込み３０またはスリットが開けられており、注入器（図示せず）を筒部１９の先端にセットする時には、妨げにならず、通常は筒部１９の先端を隠すようになっており、見栄えを良くしている。
【００４１】
可撓性部材として膨張するゴム部材２３が、芯部材１１の外周に調整室３１を設けて芯部材１１に被せられている。ゴム部材２３は両方が開口した筒状部材であって、一方の開口部分が芯部材１１の中空部１２とストッパ部材１６の筒部１９との間で挟持され、他方の開口部分が芯部材１１の中空部１２と案内部材１３の筒部１４との間で挟持される。
【００４２】
したがって、芯部材１１の中空部１２とストッパ部材１６の導入通路２７との連通がゴム部材２３で塞がれることが無い。なお、この実施例では、筒状のゴム部材で説明したが、袋状のゴム部材いわゆるゴム風船であってもよい。
【００４３】
この実施例では、互いに嵌り合う凸部２１と凹部２２は周方向には数個設けられているが、適当な数設ければよいものである。凸部２１と凹部２２は１列であるが、複数列にしても良く、凸部と凹部は反対に設けても良い。この実施例では４箇所にスリット孔２５を設けているが、これに限られるものではなく、１個でもよく、又５個以上でも良い。また、スリット孔に限らず、機能を満足する連通孔であれば他の形状でも良い。これらの芯部材１１、案内部材１３及びストッパ部材１６は射出成形樹脂材からなるので、安定した形状を量産でき、さらに、遺体といっしょに焼却する時でも有害成分の発生問題はない。
【００４４】
作業時は、肛門封止部材１０を肛門に押し込み、当て部材２０の接触面材２８が肛門周辺皮膚に当たるまで挿入する。その後、切込み３０から注入器（図示せず）を筒部１９の先端にセットし、注入器のピストンを押し込む。これにより、注入器内部の体液漏出防止材が導入通路２７、芯部材１１の中空部１２、スリット孔２５を通って、ゴム製バンド２６を押し広げて調整室３１に導入される。それによって、ゴム部材２３が膨張し、体腔内壁に密着するようになる。
【００４５】
図１では鼻孔から導入し、咽喉部を封止する実施例で本発明を説明したが、遺体の口腔、鼻孔そのもの、耳孔、尿道、肛門、女性の膣に適用しても良い。また、事故や手術後の遺体の傷口や開口部分にも適用しても良い。
【００４６】
図示しないが、ゼリー状の体液漏出防止材８が水溶性フイルムに包まれて用意されているか、あるいはゼリー状の体液漏出防止材８を包むものが先端から滑らかな形状で膨らんで、その後後方に向けて滑らかに小径になったカプセル形状に形成され、その表面に潤滑剤が塗布されて用意されていることも可能である。特に肛門、女性の膣・尿道に対しては、座薬を挿入する感覚で装填でき、作業も比較的楽である。
【００４７】
【発明の効果】
本発明では、内部に粉体が分散したゼリー状の体液漏出防止材であるので、この体液漏出防止材は流動性があり、滑らかに体腔内に注入でき、必要部位に集中的に充填し留めることができる。それと同時に体液漏出防止材内部に粉体を分散保持しているので、この粉体により、体内から出てくる体液を吸収でき、体液が体外に漏出することを防止できる。
【図面の簡単な説明】
【図１】本発明にかかわる体液漏出防止装置の使用状態を示す図である。
【図２】（ａ）及び（ｂ）は本発明の別の実施例を示す縦断側面図及び背面図である。
【符号の説明】
１      注入器
２      注入口
３      保護キャップ
４      挿入管
５      接続部
６      開口部
７      ストッパ部
８      両親媒性ゲル
Ａ      鼻孔
Ｂ      咽喉部
Ｃ      舌
Ｄ      気管
Ｅ      食道
Ｆ      頚椎
１０    肛門封止部材
１１    芯部材
１２    中空部
１３    案内部材
１４    筒部
１５    案内部
１６    ストッパ部材
１７    間隙
１８    延長部
１９    筒部
２０    当て部材
２１    凸部
２２    凹部
２３    ゴム部材
２４    段部
２５    スリット孔
２６    バンド
２７    導入通路
２８    接触面材
２９    カバー部材
３０    切込み
３１    調整室
【図１】
0003586207.tif 000002
【図２】
0003586207.tif 000003